(57)【要約】【課題】温風吹き出しに起因する不便さや不快感を無くして浴室暖房を良好に行えるようにする。【解決手段】浴槽１を備えた浴室２の内周壁面を構成する三面の壁材３それぞれに、金属管もしくは樹脂管による温水パイプ４を蛇行状に内蔵した放熱部５を設ける。浴室２の天井に浴室暖房乾燥機６を設置し、その浴室暖房乾燥機６に暖房用温水を供給する温水供給管を接続し、浴室暖房乾燥機６と放熱部５の温水パイプ４を順に接続し、最後の放熱部５の温水パイプ４に温水戻り管８を接続する。暖房時に、温水パイプ４に所定温度（例えば、約60℃）の暖房用温水を供給し、放熱部５の浴室２側表面から浴室２内に向けて熱を放射し、その低温輻射によって人体に熱を与えるとともに、人体から外部への放熱を抑えて浴室２の暖房を行う。【選択図】        図１
2004205072.tif 000002
【特許請求の範囲】
【請求項１】
浴槽を設けた浴室の壁または／および天井を構成する浴室構成材に、暖房用温水を流動する温水流路を設け、暖房用温水の熱を前記浴室構成材の浴室側表面から浴室内に向けて放射可能に構成したことを特徴とする浴室暖房構造。
【請求項２】
浴槽を設けた浴室の壁または／および天井を構成する浴室構成材に、暖房用温水を流動する温水パイプを設け、暖房用温水の熱を前記温水パイプの表面または前記温水パイプに接触させた伝熱材の表面から浴室内に向けて放射可能に構成したことを特徴とする浴室暖房構造。
【請求項３】
請求項１または請求項２に記載の浴室暖房構造において、
浴室構成材が浴室の天井面に設けた点検口の蓋である浴室暖房構造。
【請求項４】
請求項１、２、３のいずれかに記載の浴室暖房構造において、
浴室構成材が浴室乾燥機の浴室内に露出する外表面構成材である浴室暖房構造。
【請求項５】
請求項１、２、３、４のいずれかに記載の浴室暖房構造を用いた浴室暖房乾燥構造であって、
浴室内の空気を循環・対流させる循環用ファンと、
前記浴室内を循環する空気を加熱する熱交換器とを備え、
前記熱交換器の熱源用温水が暖房用温水で兼用構成したものである浴室暖房乾燥構造。
【発明の詳細な説明】
【０００１】
【発明の属する技術分野】
本発明は、温水を熱源とし、主として家庭用の浴槽を設けた浴室の暖房を行う浴室暖房構造、および、その浴室暖房構造を用いて、衣類や浴室内面の乾燥、換気などを行う浴室暖房乾燥構造に関する。
【０００２】
【従来の技術】
温水を熱源として浴室内の暖房を行うものとして、浴室の床面下に温水を流し、浴室の床面を暖める床暖房が考えられたが、防水機能を確保する必要があり、そのうえ、温水の通水・遮断に伴って、床面の加熱・冷却が繰り返されるため、タイル目地が切れたりモルタルにひび割れが発生したりする問題があった。また、足裏に直接接触するために、床面の表面温度を体温以上に上昇できず、浴室内の温度を十分上げることができなくて、足が冷たくない程度の暖房効果しか得られず、実用性に欠ける問題があった。
このような事情から、従来一般に、浴室の天井内空間に、温水を流動する熱交換器と、浴室内の空気を循環・対流させる循環用ファンと、換気もしくは乾燥時の排湿に用いる換気用ファンおよびそれらを制御する制御機器等を設けて浴室暖房構造を構成している（例えば、特許文献１、２、３、４、５）。
【０００３】
上記構成により、暖房運転時には、循環用ファンの運転により、熱交換器での熱交換によって得られた温風を吹き出し口から浴室内に吹き出すとともに、吸い込み口から熱交換器に戻し、浴室内の温度を上昇させている。
【０００４】
また、乾燥運転時は、暖房運転の動作に加えて換気用ファンを運転し、浴室内部の水蒸気を排出することにより、湿度上昇を抑えながら温度を上昇させている。更に、換気運転時には、温水の供給を停止して加熱を行わずに、換気用ファンを運転して、室内外の空気を入れ換えるようにしている。
【０００５】
【特許文献１】
特開平６−２９６７９８号公報
【特許文献２】
特開平９−２６４５５１号公報
【特許文献３】
特開平９−２６４５５３号公報
【特許文献４】
特開平９−７９６２２号公報
【特許文献５】
特開２００２−２１３７６０号公報
【０００６】
【発明が解決しようとする課題】
しかしながら、従来例の場合、温風を循環させることによって暖房を行うものであり、濡れた人体に循環用ファンからの温風が直接当たり、流動空気の対流によって気化熱を奪われ、温風の温度の割りに温度が低く感じられ、また、温風の温度が低い場合には寒く感じる欠点があった。
【０００７】
このため、上述のような暖房運転を行う場合の取扱説明には、予め浴室に入る前に暖房を行って浴室内の温度を上昇させておき、入浴時には循環用ファンの送風を止めるか弱くすることが推奨されている。また、送風を止めるか弱くする他の理由として、循環用ファンの騒音が大きくて強い送風のままでは不快であることも挙げられている。
【０００８】
すなわち、温風暖房を行う場合、暖房を欲するときには、入浴前に予め十分昇温しておかなければならず、不便であり、また、暖房開始から入浴までに時間があると、暖房運転時間が必要以上に長くなって無駄になるなど、暖房性能を十分発揮できない欠点があった。
【０００９】
本発明は、このような事情に鑑みてなされたものであって、請求項１および請求項２に係る発明は、温風吹き出しに起因する不便さや不快感を無くして浴室暖房を良好に行えるようにすることを目的とし、請求項３および請求項４に係る発明は、浴室暖房を安価な構成で行えるようにすることを目的とし、請求項５に係る発明は、安価にして浴室暖房とともに乾燥を行えるようにすることを目的とする。
【００１０】
【課題を解決するための手段】
請求項１に係る発明の浴室暖房構造は、上述のような目的を達成するために、浴槽を設けた浴室の壁または／および天井を構成する浴室構成材に、暖房用温水を流動する温水流路を設け、暖房用温水の熱を前記浴室構成材の浴室側表面から浴室内に向けて放射可能に構成する。
浴室構成材としては、非断熱素材の浴室の天井板や内周面の壁材が挙げられ、その内部に温水の流路を形成し、その天井板や内周面の壁材の浴室側表面を放熱面として構成する。
天井板や内周面の壁材の高所など、人体と接触する虞が無い場所に設ける場合には、保温を行う必要は無い。人体と接触する虞のある場所に設ける場合には、火傷を防止する程度の軽度の保温を行い、輻射効果を確保する。
【００１１】
（作用・効果）
請求項１に係る発明の浴室暖房構造の構成によれば、浴室構成材を暖房用温水により加熱し、その浴室構成材の浴室側表面を放熱面として、暖房用温水の熱を浴室内に放射する。
したがって、入浴時に温風を循環・対流させずに、あるいは、循環させたとしても人体から気化熱を奪うことの無い微風程度で、輻射熱と自然対流によって浴室内を暖房できるから、温風に起因して気化熱を奪う冷風感と人体からの輻射放熱とを抑え、更に、循環用ファンの運転に起因する騒音を無くし、老人などが寒い浴室内に入り、急激に血圧が上昇して倒れるといった事故を回避して、暖かく静かに入浴することができ、温風吹き出しに起因する不便さや不快感を無くして浴室暖房を良好に行える。
【００１２】
請求項２に係る発明の浴室暖房構造は、前述のような目的を達成するために、浴槽を設けた浴室の壁または／および天井を構成する浴室構成材に、暖房用温水を流動する温水パイプを設け、暖房用温水の熱を前記温水パイプの表面または前記温水パイプに接触させた伝熱材の表面から浴室内に向けて放射可能に構成する。
浴室構成材としては、非断熱素材の浴室の天井板や内周面の壁材が挙げられ、それらの天井板や内周面の壁材の浴室側とは反対側に接触させて非断熱素材の温水パイプを蛇行して引き回すとか、天井板や内周面の壁材の浴室内側に露出して接触もしくは非接触で引き回すなどすれば良い。
天井板や内周面の壁材の高所など、人体と接触する虞が無い場所に設ける場合には、保温を行う必要は無い。人体と接触する虞のある場所に設ける場合には、火傷を防止する程度の軽度の保温を行い、輻射効果を確保する。
浴室が、プレハブ工法を用いるいわゆるユニットバスの場合には、天井面や壁面が表面処理をした鋼鈑で形成されるため、その背面（浴室外面）に温水パイプを接触蛇行させて引き回せば容易に放熱面を構成でき、さらに、通常のユニットバス鋼鈑背面の断熱施工と同様に、鋼鈑の背面と温水パイプを一体として断熱施工（例えばウレタン樹脂の吹き付け発泡工法）することで浴室側に放熱面を構成できる。この場合、鋼板壁に対して必要な断熱施工が壁面と温水パイプとを共に一体として行われるため、断熱施工に追加の費用が発生しなくて経済的である。
浴室面をモルタル−タイル張りで構成するいわゆる在来工法の浴室では、下地のモルタルやコンクリート構造物に温水パイプを埋め込むことも可能であるが、クロムメッキ等の表面処理を施した温水パイプを、浴室内側に露出させた状態で、天井板や内周面の壁材に引き回し施工することも可能である。
上述のように、温水パイプを浴室内面に引き回す場合には、その一部でタオル掛けを兼用することもできる。実際にタオルを掛ければ速く乾燥するので、タオル乾燥機としても機能する。この場合、温水パイプを、クロムメッキや樹脂被覆等をするとともに、見栄えの良い形状にするのが好ましい。
【００１３】
（作用・効果）
請求項２に係る発明の浴室暖房構造の構成によれば、浴室構成材に設けた温水パイプを暖房用温水により加熱し、その温水パイプの表面または前記温水パイプに接触させた伝熱材の表面を放熱面として、暖房用温水の熱を浴室内に放射する。
したがって、入浴時に温風を循環・対流させずに、あるいは、循環させたとしても人体から気化熱を奪うことの無い微風程度で、輻射熱と自然対流によって浴室内を暖房できるから、温風に起因して気化熱を奪う冷風感と輻射放熱とを抑え、更に、循環用ファンの運転に起因する騒音を無くし、老人などが寒い浴室内に入り、急激に血圧が上昇して倒れるといった事故を回避して、暖かく静かに入浴することができ、温風吹き出しに起因する不便さや不快感を無くして浴室暖房を良好に行える。
【００１４】
請求項３に係る発明は、前述のような目的を達成するために、
請求項１または請求項２に記載の浴室暖房構造において、
浴室構成材として、浴室の天井面に設けた点検口の蓋を利用するように構成する。
点検口の蓋は、一般的には大きさが１ｍ2弱の正方形の板状で、取り外し自在に製作されており、この蓋で放熱面の一部を構成するものでも、蓋のみで放熱面の全体を構成するものでも良い。
蓋を可動とするためには、暖房用温水の温水流路または温水パイプとの接続を柔軟性のあるプラスチックやゴムのホースあるいは金属蛇腹管のような可撓管で行えば良い。あるいは、迅速継手（いわゆるワンタッチジョイント）のように着脱容易な管継手を併用して用いることも可能である。
【００１５】
（作用・効果）
請求項３に係る発明の浴室暖房構造の構成によれば、天井裏や浴室暖房乾燥機の点検などを行うために、ユニットバスなどの天井の概略中央部分に設置される、点検口に対する蓋を放熱面として利用する。
したがって、蓋を製作するときに、温水流路を一体形成するとか、温水パイプを一体的に取付けるなどによって放熱面を形成でき、現場での施工費用を低減でき、浴室暖房を安価な構成で行える。
【００１６】
請求項４に係る発明は、前述のような目的を達成するために、
請求項１、２、３のいずれかに記載の浴室暖房構造において、
浴室構成材として、浴室乾燥機の浴室内に露出する外表面構成材を利用するように構成する。
【００１７】
（作用・効果）
請求項４に係る発明の浴室暖房構造の構成によれば、浴室の乾燥を行うために浴室の天井に設置される、浴室乾燥機の浴室内に露出する外表面構成材を放熱面として利用する。
したがって、浴室乾燥機を製作するときに、外表面構成材に、温水流路を一体形成するとか、温水パイプを一体的に取付けるなどによって放熱面を形成でき、現場での施工費用を低減でき、浴室暖房を安価な構成で行える。
【００１８】
請求項５に係る発明は、前述のような目的を達成するために、
請求項１、２、３、４のいずれかに記載の浴室暖房構造を用いた浴室暖房乾燥構造であって、
浴室内の空気を循環・対流させる循環用ファンと、
前記浴室内を循環する空気を加熱する熱交換器とを備え、
前記熱交換器の熱源用温水が暖房用温水で兼用構成する。
【００１９】
（作用・効果）
請求項５に係る発明の浴室暖房乾燥構造の構成によれば、
浴室の暖房を行う暖房用温水を熱交換器に流動させ、そこでの熱交換により加熱された空気を浴室内に循環させ、浴室内の乾燥を行う。
したがって、浴室の暖房を行う暖房用温水を浴室乾燥のための熱源用温水として用いるから、安価にして浴室暖房とともに乾燥を行える。
また、乾燥運転において、輻射機能による暖房をも行えば、衣類の乾燥をより速く行なうことができ、乾燥効率を向上できて経済的である。
【００２０】
【発明の実施の形態】
次に、本発明の実施例を図面に基づいて詳細に説明する。
図１は、本発明に係る浴室暖房構造およびそれを用いた浴室暖房乾燥構造の第１実施例を示す一部省略全体概略斜視図であり、浴槽１を備えた浴室２の内周壁面を構成する浴室構成材としての三面の壁材３それぞれに、金属管もしくは樹脂管による温水パイプ４を蛇行状に内蔵した放熱部５が設けられている。
【００２１】
浴室２の天井には浴室暖房乾燥機６が設置され、その浴室暖房乾燥機６に暖房用温水を供給する温水供給管７が接続され、浴室暖房乾燥機６と放熱部５の温水パイプ４が順に接続され、最後の放熱部５の温水パイプ４に温水戻り管８が接続されている。温水供給管７および温水戻り管８は、図外の暖房熱源用の温水ボイラなどに接続されている。図中、Ｈは点検口を示している。
【００２２】
浴室暖房乾燥機６は、図２の一部切欠側面図に示すように、暖房用温水を流動する熱交換器９と、その熱交換器９に浴室２内の空気を供給し、得られた温風を浴室２内へと循環させる循環用ファン１０と、浴室２内の空気を水蒸気と共に排出する換気用ファン１１と、吸込みグリル１２および吹き出しグリル１３を形成した外表面構成材としての通気板１４とから構成されている。
【００２３】
上記構成により、暖房時には、温水パイプ４に所定温度（例えば、約60℃）の暖房用温水を供給し、放熱部５の浴室２側表面から浴室２内に向けて熱を放射し、その低温輻射によって人体に熱を与えるとともに、人体から外部への放熱を抑えて浴室２の暖房を行う。この暖房に先立ち、入浴者が浴室２内に入るまでの間は、循環用ファン１０を運転して温風により暖房しておくようにしても良い。一方、乾燥時には、暖房運転の構成に加えて、循環用ファン１０および換気用ファン１１を運転して排湿することで、衣類の乾燥や浴室２の乾燥を促す。換気時には、暖房用温水の供給と循環用ファン１０の運転を停止して、換気用ファン１１のみを運転して換気する。
【００２４】
上記第１実施例では、火傷防止のため、熱源としての暖房用温水（例えば、温度約80℃）を浴室暖房乾燥機６の熱交換器９に流動させ、温度が低下した後に放熱部５に流動させるように直列に接続しているが、放熱部５を天井に形成する場合のように火傷の虞のない場合には、先に放熱部５に暖房用温水を通して、放熱量を大きく取った後に、浴室暖房乾燥機６に供給するという逆の直列接続も可能である。また、並列接続も可能であるが、その場合には、定流量弁等を取付けることによって、浴室暖房乾燥機６と放熱部５への流量配分を適正に行う必要がある。
【００２５】
図３は、暖房用温水の流動構成例を示す要部の断面図であり、次に説明する。
第１例は、請求項２に対応する第１実施例に係るものであり、図３の（ａ）に示すように、浴室２内側にタイル１５を貼った浴室構成材としてのコンクリート壁１６に半割りの固定金具１７が取付けられ、その固定金具１７に温水パイプ４が取付けられ、温水パイプ４が浴室２側に露出した状態で設けられ、温水パイプ４の外周面を放熱面として暖房用温水の熱を浴室２内に放射し、低温輻射により浴室２内を暖房するように構成されている。この第１例において、温水パイプ４の浴室２側に、熱伝導率の高い平板状や波板などの凹凸状の伝熱材を温水パイプ４と接触させて設け、暖房用温水の熱を温水パイプ４から伝熱材に伝え、伝熱材の表面から浴室２内に低温輻射するように構成しても良い。
【００２６】
第２例も、第１実施例に係るものであり、図３の（ｂ）に示すように、浴室２の内壁が塗装鋼板等の浴室構成材としての金属板１８で構成され、金属板１８に、固定金具１９をネジ止めすることなどにより温水パイプ４が取付けられている。金属板１８の浴室２と反対側には断熱材２０が設けられ、浴室２の外部への放熱を防止して省エネルギーを図るように構成されている。温水パイプ４の外周面の一部と金属板１８とを接触させてあり、温水パイプ４の外周面と金属板１８の浴室２内側の表面とを放熱面として暖房用温水の熱を浴室２内に放射し、低温輻射により浴室２内を暖房するように構成されている。
【００２７】
第３例は、請求項１に対応する実施例に係るものであり、図３の（ｃ）に示すように、内部に温水流路２１を形成したアルミ材等の浴室構成材としての押出し成型品２２によって浴室２の壁面が構成され、押出し成型品２２の浴室２と反対側には断熱材２３が設けられ、浴室２の外部への放熱を防止して省エネルギーを図るように構成されている。
この第３例の場合、押出し成型品２２の温水流路２１の端面をヘッダーとして暖房用温水を並列に流すようにすれば、押出し成型品２２の厚みを薄くして、材料コストを低減することができる。
また、暖房用温水の圧力が高くなくて、強度を必要としない場合には、アルミ材に代えて熱伝導率の高い樹脂材料で成型することも可能である。いずれの場合にも、壁材を兼用せずに、壁面の内表面に貼付施工することも可能である。
【００２８】
第４例も、第１実施例に係るものであり、図３の（ｄ）に示すように、いわゆるユニットバスの浴室２の壁を構成する浴室構成材としての塗装鋼板２４の裏面に、外周面と面接触する状態で温水パイプ４が設けられ、浴室２と反対側には、吹き付け発泡工法によってウレタン樹脂２５が一体的に設けられ、断熱されている。
これにより、ウレタン樹脂２５によって浴室２の外部への放熱を防止して省エネルギーを図りながら、塗装鋼板２４の浴室２側の表面を放熱面として暖房用温水の熱を浴室２内に放射し、低温輻射により浴室２内を暖房するように構成されている。
この第４例によれば、放熱面を塗装鋼板２４によって拡大できるとともに、塗装鋼板２４と温水パイプ４とを一体で断熱施工できて、断熱のための追加コストが不要になる利点がある。
【００２９】
第５例も、第１実施例に係るものであり、図３の（ｅ）に示すように、浴室２の壁面が凹凸形状の壁材２６で構成され、浴室２と反対側の凹部２７に嵌入する状態で温水パイプ４が設けられ、浴室２とは反対側が断熱材２８によって断熱されている。この第５例も、第４例と同様にユニットバスに好適に適用できる。
この第５例によれば、壁材２６と温水パイプ４との接触面積を拡大して壁材２６への伝熱効率を高めるとともに、放熱面となる壁材２６の浴室２側の表面の面積をも拡大し、その表面を放熱面として暖房用温水の熱を浴室２内に放射し、低温輻射により浴室２内を暖房するように構成されている。
【００３０】
上記第２、第４および第５例では、浴室構成材としての金属板１８、塗装鋼板２４および壁材２６それぞれが伝熱材としても機能している。
【００３１】
図４は、本発明に係る浴室暖房構造の第２実施例を示す要部の正面図であり、温水パイプ４が、浴室構成材としての浴室２の所定の壁材３１に、壁材３１の表面との間に隙間がある状態で、かつ、上下方向において所定間隔を隔てた平行部分がある状態で設けられ、温水パイプ４の一部をしてタオル掛けに兼用構成されている。
温水パイプ４は、壁材３１に取付けられた鏡３２や棚３３を避けて設けられている。
この第２実施例によれば、温水パイプ４にタオル３４等の被乾燥物を掛けることができて便利である。
【００３２】
図５の（ａ）は、本発明に係る浴室暖房構造の第３実施例を示す要部の正面図、図５の（ｂ）は側面図であり、浴室２の点検口Ｈ（図１参照）の蓋４１に温水パイプ４が設けられ、その温水パイプ４に温水供給管７と温水戻り管８とがゴムや樹脂製のホースもしくは金属可撓管などの可撓配管４２を介して接続され、蓋４１の下向き面を放熱面として暖房用温水の熱を浴室２内に放射し、低温輻射により浴室２内を暖房するように構成されている。
【００３３】
この第３実施例では、可撓配管４２を用いることにより、蓋４１を容易に開閉できるように構成しているが、可撓配管４２に、迅速継手（カップラー）を併用して接続し、容易に脱着できるように構成しても良い。
上記点検口Ｈ（図１参照）の蓋４１は、浴室暖房乾燥機と同時に使用しても良く、また、単独もしくは他の壁材と併用して、放熱面として利用するようにしても良い。
【００３４】
図６は、本発明に係る浴室暖房乾燥構造の第２実施例を示す要部の一部切欠側面図であり、第１実施例と異なるところは、次の通りである。
すなわち、浴室暖房乾燥機６の浴室２内に露出する外表面構成材としての、吸込みグリル１２および吹き出しグリル１３を形成した通気板１４の吸込みグリル部分に、隣り合う通気路間に位置させる状態で温水パイプ４が設けられている。
他の構成は第１実施例と同じであり、同一図番を付すことによりその説明は省略する。
【００３５】
図７は、本発明に係る浴室暖房乾燥構造の第３実施例を示す要部の一部切欠側面図であり、第２実施例と異なるところは、次の通りである。
すなわち、浴室暖房乾燥機６の浴室２内に露出する外表面構成材としての、吸込みグリル１２および吹き出しグリル１３を形成した通気板１４の吸込みグリル部分に、温水パイプ４を内蔵した放熱パネル５１が設けられ、放熱パネル５１と熱交換器９との間に空気通路５２が形成されている。他の構成は第１実施例と同じであり、同一図番を付すことによりその説明は省略する。
【００３６】
放熱パネル５１は浴室暖房乾燥機６の一部材として、工場にて信頼性高く安価に生産することが可能である。また、天井設置型の場合、温水パイプ４に温水供給管７を接続し、熱交換器９に優先して暖房用温水を供給することにより、高温の暖房用温水によって放熱パネル５１から最も高い温度で放射させ、これにより、放熱パネル５１の面積が小さくても、輻射熱量を増加でき、放熱面積が制限される難点を補うことができる。
【００３７】
上記各実施例の構成により、以下のような効果を生じる。
（１）  壁面や天井面を放熱面に用いることにより、輻射と自然対流により、高い暖房効果を得ることができる。人体が接触する可能性のある壁面でも、瞬時の接触では火傷の心配のない６０℃程度まで昇温が可能で、床暖房で浴室２を暖房する場合に比べ、大きな放熱量が得られる。
（２）  浴室２の点検口の蓋４１や浴室暖房乾燥機６の浴室内露出部分を放熱面とした場合には、放熱面積が限られるが、人体の接触を問題にする必要が無いので、8０℃程度まで昇温することも可能である。しかも、浴室暖房乾燥機６と併用するために、予め浴室２の温度を上げておくことや、自然対流に近い微小な流速での温風による対流伝熱を併用することも可能で、問題のない暖房効果が得られる。
（３）  一方で本方式の暖房は、一見頭寒足熱に反して不快のように見られるが、低温輻射暖房の場合、温度が低いために暑く感じることはなく、また、人体に対して輻射を与える効果の他に、人体からの輻射放熱を抑制して、寒く感じ無くさせるという効果があるため、快適な暖房感を得ることができる。
このように、天井や壁面を低温輻射面に利用し、温風暖房と併用する本構成の暖房は、浴室の暖房として特別の効果を発生するものである。
【００３８】
上述実施例において、浴室構成材の放熱面を構成する部材として、輻射率に優れるセラミックス材料を用いても良い。
また、輻射放熱量を増大するために、放熱面にプレス成形で押し型や模様を付けるとか、伝熱促進用のフィン機能を持つ金属製のタオル掛けとか石鹸やシャンプーなどの物入れとか装飾品などを取り付けるようにしても良い。
【００３９】
【発明の効果】
以上の説明から明らかなように、請求項１に係る発明の浴室暖房構造によれば、浴室構成材を暖房用温水により加熱し、その浴室構成材の浴室側表面を放熱面として、暖房用温水の熱を浴室内に放射し、温風を循環・対流させずに、あるいは、循環させたとしても人体から気化熱を奪うことの無い微風程度で、輻射熱と自然対流によって浴室内を暖房できるから、入浴に先立っての暖房を行わずに済み、かつ、温風に起因して気化熱を奪う冷風感と人体からの輻射放熱とを抑え、更に、循環用ファンの運転に起因する騒音を無くし、老人などが寒い浴室内に入り、急激に血圧が上昇して倒れるといった事故を回避して、暖かく静かに入浴することができ、温風吹き出しに起因する不便さや不快感を無くして浴室暖房を良好に行える。
【図面の簡単な説明】
【図１】本発明に係る浴室暖房構造およびそれを用いた浴室暖房乾燥構造の第１実施例を示す一部省略全体概略斜視図である。
【図２】浴室暖房乾燥機の一部切欠側面図である。
【図３】暖房用温水の流動構成例を示す要部の断面図である。
【図４】本発明に係る浴室暖房構造の第２実施例を示す要部の正面図である。
【図５】（ａ）は、本発明に係る浴室暖房構造の第３実施例を示す要部の正面図、（ｂ）は側面図である。
【図６】本発明に係る浴室暖房乾燥構造の第２実施例を示す要部の一部切欠側面図である。
【図７】本発明に係る浴室暖房乾燥構造の第３実施例を示す要部の一部切欠側面図である。
【符号の説明】
１…浴槽
２…浴室
３…壁材（浴室構成材）
４…温水パイプ
６…浴室暖房乾燥機
９…熱交換器
１０…循環用ファン
１４…通気板（外表面構成材）
１６…コンクリート壁（浴室構成材）
１８…金属板（浴室構成材）
２１…温水流路
２２…押出し成型品（浴室構成材）
２４…塗装鋼板（浴室構成材）
２６…凹凸形状の壁材（浴室構成材）
３１…壁材（浴室構成材）
４１…蓋
Ｈ…点検口
【図１】
2004205072.tif 000003
【図２】
2004205072.tif 000004
【図３】
2004205072.tif 000005
【図４】
2004205072.tif 000006
【図５】
2004205072.tif 000007
【図６】
2004205072.tif 000008
【図７】
2004205072.tif 000009